(57)【要約】      （修正有）【課題】強力な粘着性を有する両面粘着シート及びこれを用いた耐震補強具を提供する。【解決手段】両面粘着シート１０は、基材フィルム１１の両面それぞれに厚さが０．３〜３．０ｍｍである粘着剤層１５が設けられている。粘着剤１５は、ポリブデン、ポリイソブチレン、又は、ブチルゴムのうち少なくとも一つを主成分とすることが好ましく、基材フィルム１１は、ポリエチレンテレフタレート（ＰＥＴ）フィルム、ポリプロピレン（ＰＰ）フィルム又はポリエチレン（ＰＥ）フィルムであることが好ましい。耐震補強具１は両面粘着シート１０を備え、被固定物を設置面に固定する耐震補強具であって、水平プレートと、該水平プレートの一端に立設した垂直プレートと、からなるプレート部材５０と、プレート部材５０の設置面側及び被固定物側に貼付した両面粘着シート１０と、を備えている耐震補強具１。【選択図】図４
2016199607.tif 000002
【特許請求の範囲】
【請求項１】
基材フィルムの両面それぞれに厚さが０．３〜５．０ｍｍである粘着剤層が設けられていることを特徴とする両面粘着シート。
【請求項２】
前記粘着剤は、ポリブデン、ポリイソブチレン、又は、ブチルゴムのうち少なくとも一つを主成分とする請求項１に記載の両面粘着シート。
【請求項３】
前記基材フィルムは、ポリエチレンテレフタレート（ＰＥＴ）フィルム、ポリプロピレン（ＰＰ）フィルム又はポリエチレン（ＰＥ）フィルムである請求項１又は２に記載の両面粘着シート。
【請求項４】
請求項１乃至３のうちのいずれかに記載の両面粘着シートを備え、被固定物を設置面に固定する耐震補強具であって、
水平プレートと、該水平プレートの一端に立設した垂直プレートと、からなるプレート部材と、
前記プレート部材の設置面側及び被固定物側に貼付した両面粘着シートと、
を備えたことを特徴とする耐震補強具。
【請求項５】
一対の請求項４に記載の耐震補強具を垂直プレート側端部同士で平面視直角に一体に接続形成した耐震補強具。
【請求項６】
請求項１乃至３のうちのいずれかに記載の両面粘着シートを備え、被固定物を設置面に固定する耐震補強具であって、
水平プレートと、該水平プレートの両端に立設した一対の帯状プレートと、該帯状プレートの両端に備えた設置面側固定用の紐部材と、からなるプレート部材と、
前記水平プレートの被固定物側に貼付した両面粘着シートと、
を備えたことを特徴とする耐震補強具。
【発明の詳細な説明】
【技術分野】
【０００１】
本発明は、両面粘着シート及びこれを用いた耐震補強具に関する。
【背景技術】
【０００２】
両面粘着シートは、基材シートの両面それぞれに粘着層を設けて形成されており、両面側それぞれの被着体同士を固定するために使用される。粘着シートは、粘着剤を用いているため、貼付しても乾燥により固化することがなく、固定後引きはがしても被着体を損傷させることがない。また、粘着シートを再使用することも可能である。
ここで、被切断材等を支持固定する際に用いられる両面粘着シートが提案されている（例えば、特許文献１参照。）。
また、粘着剤を用いた耐震補強具が提案されている（例えば、特許文献２参照。）。
【先行技術文献】
【特許文献】
【０００３】
【特許文献１】特開２００３−２７７７０３号公報
【特許文献２】特開２０１１−１４３０９２号公報
【発明の概要】
【発明が解決しようとする課題】
【０００４】
特許文献１に記載の両面粘着シートは切断加工や研磨加工の工程において被固定材を支持固定するものである。また、特許文献２に記載の耐震補強具は、電子機器等の被固定物をテーブルの上面等の設置面に固定することを主目的としたものである。
本願発明は、強力な粘着性を有する両面粘着シート及び、これを用いた耐震補強具を提供することを目的とする。
【課題を解決するための手段】
【０００５】
本発明は、以下の通りである。
１．基材フィルムの両面それぞれに厚さが０．３〜３．０ｍｍである粘着剤層が設けられていることを特徴とする両面粘着シート。
２．前記粘着剤は、ポリブデン、ポリイソブチレン、又は、ブチルゴムのうち少なくとも一つを主成分とする１．に記載の両面粘着シート。
３．前記基材フィルムは、ポリエチレンテレフタレート（ＰＥＴ）フィルム、ポリプロピレン（ＰＰ）フィルム又はポリエチレン（ＰＥ）フィルムである１．又は２．に記載の両面粘着シート。
４．１．乃至３．のうちのいずれかに記載の両面粘着シートを備え、被固定物を設置面に固定する耐震補強具であって、
水平プレートと、該水平プレートの一端に立設した垂直プレートと、からなるプレート部材と、
前記プレート部材の設置面側及び被固定物側に貼付した両面粘着シートと、
を備えたことを特徴とする耐震補強具。
５．一対の４．に記載の耐震補強具を垂直プレート側端部同士で平面視直角に一体に接続形成した耐震補強具。
６．１．乃至３．のうちのいずれかに記載の両面粘着シートを備え、被固定物を設置面に固定する耐震補強具であって、
水平プレートと、該水平プレートの両端に立設した一対の帯状プレートと、該帯状プレートの両端に備えた設置面側固定用の紐部材と、からなるプレート部材と、
前記水平プレートの被固定物側に貼付した両面粘着シートと、
を備えたことを特徴とする耐震補強具。
【発明の効果】
【０００６】
１．本発明の両面粘着シートは、基材フィルムの両面それぞれに厚さが０．３〜３．０ｍｍである粘着剤層が設けられているため、強力な粘着性が得られる。
２．粘着剤が、ポリブデン、ポリイソブチレン、又は、ブチルゴムのうち少なくとも一つを主成分とする場合には、特に強力な粘着性が得られる。
３．基材フィルムが、ポリエチレンテレフタレート（ＰＥＴ）フィルム、ポリプロピレン（ＰＰ）フィルム又はポリエチレン（ＰＥ）フィルムである場合には、粘着剤を塗工し易く好適に用いられる。
４．耐震補強具が、１．乃至３．のうちのいずれかに記載の両面粘着シートを備え、被固定物を設置面に固定するものであって、水平プレートと、該水平プレートの一端に立設した垂直プレートと、からなるプレート部材と、前記プレート部材の設置面側及び被固定物側に貼付した両面粘着シートと、を備えている場合には、簡易な構造で、効果的に耐震補強を行うことができる。
５．耐震補強具が、一対の４．に記載の耐震補強具を垂直プレート側端部同士で平面視直角に一体に接続形成した場合には、被固定物の角部に垂直プレートの内面を施工することで、被固定物を堅固に固定することができる。
６．耐震補強具が、１．乃至３．のうちのいずれかに記載の両面粘着シートを備え、被固定物を設置面に固定するものであって、水平プレートと、該水平プレートの両端に立設した一対の帯状プレートと、該帯状プレートの両端に備えた設置面側固定用の紐部材と、からなるプレート部材と、前記水平プレートの被固定物側に貼付した両面粘着シートと、を備えている場合にも、紐部材を設置面に固定することで、効果的に耐震補強を行うことができる。
【図面の簡単な説明】
【０００７】
【図１】（ａ）は本第１発明の両面粘着シートの模式的斜視図であり、（ｂ）は、（ａ）のＡ−Ａ断面図である。
【図２】（ａ）〜（ｅ）は、本第２発明の耐震補強具に係るプレート部材の例の斜視図である。
【図３】本第２発明の耐震補強具を墓石に施工した例を示す斜視図である。
【図４】本第２発明の他の耐震補強具を家具に施工した例を示す斜視図である。
【図５】（ａ）は、図２のＢ−Ｂ断面図であり、（ｂ）は、（ａ）のＣ−Ｃ断面図である。
【図６】（ａ）は、図４のＤ−Ｄ断面図であり、（ｂ）は、Ｅ−Ｅ断面図である。
【図７】（ａ）は、耐震実験における振動台水平変位の経時変化を示す図であり、（ｂ）は、墓石の水平変位の経時変化を示す図である。
【発明を実施するための形態】
【０００８】
［１］両面粘着シート
本発明に係る両面粘着シート１０は、本第１発明を具体化している。図１（ａ）、両面粘着シート１０は、基材フィルム１１の両面それぞれに粘着剤層１５、１５が設けられている。この構造の両面粘着シートであれば、粘着剤単独で使用する場合に比べ、設置面に対する被固定物の粘着強度を大きく保持することができる。
【０００９】
前記基材フィルム１１の材質は、特に限定はないが、樹脂製であることが好ましく、ポリエチレンやポリプロピレン等のオレフィン系フィルム、ポリエチレンテレフタレート等に代表されるポリエステルフィルム、セロファン、ポリ塩化ビニリデン、ポリ塩化ビニリデン共重合体、ポリフッ化ビニリデン、ポリ塩化ビニル、ナイロンなどが例示される。
これらの中でも、ポリエチレンテレフタレート（ＰＥＴ）フィルム、ポリプロピレン（ＰＰ）フィルム又はポリエチレン（ＰＥ）フィルムのいずれかであることが特に好ましい。
基材フィルムの厚さＴは特に限定はないが、０．０５〜０．２ｍｍであることが好ましく、０．０８〜０．１２ｍｍであることが更に好ましい。
【００１０】
前記粘着剤１５としては、ポリブデン、ポリイソブチレン、ブチルゴム、ハロゲン化ブチルゴム、部分加硫ブチルゴム、スチレン−ブタジエン−スチレン、ブロックコポリマー（ＳＢＳ）、スチレン−イソプレン−スチレンブロックコポリマー（ＳＩＳ）、スチレン−エチレン−ブチレン−スチレンブロックコポリマー（ＳＥＢＳ）、シリコンゴム、クロロプレンゴム、ニトリルゴム、ブタジエンゴム、粘着性アクリル樹脂、などが例示される。
これらの中でも、ポリブデン、ポリイソブチレン、ブチルゴムのいずれかであることが特に好ましい。
粘着剤層の厚さＳは、０．３〜５．０ｍｍであるが、通常、０．４〜３．０ｍｍであることが好ましく、０．５〜１．５ｍｍであることが更に好ましい。
ここで、粘着剤層の厚さが０．３ｍｍ未満では、十分な粘着強度が得られず、５．０ｍｍを超えると設置面に対して被固定物が安定しなくなるおそれがある。
また、粘着剤層は、設置面、被固定物の表面の凹凸などの程度に適合した厚みとすることが好ましい。
【００１１】
［２］耐震補強具
耐震補強具は、基台となるプレート部材に、両面粘着シート１０を貼付して形成する。プレート部材の材質は特に限定されず、金属製、樹脂製とすることができる。また、厚さも特に限定されないが、通常、０．８〜３．０ｍｍである。
例えば図２（ａ）に示すプレート部材２０に両面粘着シート１０を貼付して形成することができる。具体的には、プレート部材２０は、水平プレート２１と、水平プレート２１の一端に立設した垂直プレート２２と、からなり、通常、水平プレート２１の下面２１ｂが設置面側となり、垂直プレート２２の外面２２ｂが被固定物側となる。従って、下面２１ｂ及び外面２２ｂに両面粘着シート１０を貼付することによって、設置面に被固定物を固定することができる。
なお、設置面、被固定物の配置その他実情に合わせて、下面２１ｂ及び外面２２ｂに代えて、或いは併せて、上面２１ａ、内面２２ａに両面粘着シート１０を貼付して使用することもできる。
【００１２】
図２（ｂ）に示すプレート部材３０は、水平方向に長尺に形成されており、被固定物を広範囲に固定することができる。水平プレート３１、及びその上面３１ａ、下面３１ｂ、垂直プレート３２、及びその外面３２ａ、内面３２ｂ、並びに両面粘着シート１０を貼付して耐震補強具を形成する点、その他の作用効果については、プレート部材２０と同様である。
ただし、下面３１ｂ及び外面３２ｂに両面粘着シート１０を貼付することによって、いわゆる外付けで設置面に被固定物を固定することが好ましい。外付けであれば、施工が容易である。粘着力に優れた両面粘着シート１０を使用しているため、外付けにしても十分な粘着強度を保持することができる。
【００１３】
図２（ｃ）に示すプレート部材４０は、水平プレート４１と、水平プレート４１の両端に立設した一対の帯状プレート４５と、帯状プレート４５の両端に備えた設置面側固定用の紐部材４７と、からなる。水平プレート４１の下面４１ｂに両面粘着シート１０を貼付して耐震補強具を形成する。そして、紐部材４７を設置面に固定することによって被固定物を固定する。
【００１４】
図２（ｄ）に示すプレート部材５０は、一対のプレート部材３０を垂直プレート側端部同士で平面視直角に一体に接続形成した形状をなしている。
水平プレート５１の下面５１ｂが設置面側となり、垂直プレート５２の内面５２ｂが被固定物側となる。従って、下面５１ｂ及び内面５２ｂに両面粘着シート１０を貼付することによって、設置面に被固定物を固定することができる。
このように、被固定物の角部に垂直プレート５１、５１の内面５２ｂ、５２ｂ側を当接固定することで、被固定物を堅固に保護することができる。
【００１５】
図２（ｅ）に示すプレート部材６０は、プレート部材５０において、垂直プレートの縦方向の長さを大きくしたものである。こうすることで、縦方向に長尺の被固定物に対しても効果的に保護することができる。水平プレート５１、及びその上面５１ａ、下面５１ｂ、垂直プレート５２、及びその外面５２ａ、内面５２ｂ、並びに両面粘着シート１０を貼付して耐震補強具を形成する点、その他の作用効果については、プレート部材５０と同様である。
【実施例】
【００１６】
［１］両面粘着シート
（作成）
図１に示すように、基材フィルム１１として厚さ０．１ｍｍのポリエチレンテレフタレート（ＰＥＴ）フィルムを用意した。そして、その両面にコンマコータを用いて、ポリブデンを主成分とする粘着剤層１５、１５を厚さ１．１ｍｍに塗工して両面粘着シート１０を作成した。基材フィルム１１には、切断しての使用の便宜のため、２５ｍｍ間隔の罫線１１ａが縦横に印刷されている。
（評価）
図３に示す墓石（図示の耐震補強具１、２は取着していない状態）において、竿石８１と上台８２、上台８２と中台８３、中台８３と四ツ石８４、一対の花立て８５と四ツ石８４、水鉢８６と四ツ石８４、のそれぞれの当接箇所に両面粘着シート１０を貼付したものと、両面粘着シート１０を貼付しないものとを振動台上に固定して、耐震実験を行った。振動台の上面と、墓石の竿石８１の上面に振動計を取付けて水平変位の値を測定した。
図７（ａ）は、振動台の水平変位の経時変化を示し、図７（ｂ）は、振動台の水平変位の経時変化に伴う墓石の水平変位の経時変化を示す。
両面粘着シート１０を貼付した墓石については、振動台の水平変位に対応して変位すると共に、振動台の変位よりも少ない変位量であることが判明した。例えば、初期の振動台最大変位１４０〜−１００ｍｍに対して、１２０〜−７０ｍｍとなっている。すなわち、両面粘着シート１０により、振動を吸収する効果が明確に実証された。
また、目視による観察において、振動前後における墓石全体としての形状、各構成物のずれなどの変化は全く見られなかった。
一方、両面粘着シート１０を貼付しない墓石については、図７（ｂ）に示すように、振動台最大変位１４０〜−１００ｍｍに対して、１６０〜測定不可能となった。
また、目視による観察において、竿石８１、一つの花立て８５及び水鉢８６は、振動台上に落下していた。そして、中台８３は四ツ石８４に対して８〜１０ｃｍ程度滑ってずれていた。もう一方の花立て８５は、中台８３に凭れ掛かっていた。
【００１７】
［２］耐震補強具
（１）施工例１
図３に示す墓石８０において、中台８３に対して上台８２の４つの角部を耐震補強具１で固定した。また、上台８２に対して竿石８１の４つの角部を耐震補強具２で固定した。
耐震補強具１は、図４（ａ）に示すように、プレート部材５０の内面及び下面に両面粘着シート１０を貼付して形成されている。また、図４（ｂ）に示すように、プレート部材５０は、ステンレス製で厚さＭ＝１．０ｍｍである。また、両面粘着シート１０の粘着剤層の厚さＳ＝１．１ｍｍ、基材フィルムの厚さＴ＝０．１ｍｍである。
そして、粘着剤層の厚さを確保することで、設置面の凹凸を吸収することができる。
耐震補強具２については、耐震補強具１と縦方向の長さのみの相違であり、その他の点は同様である。
【００１８】
（２）施工例２
図５に示す家具９０において、天板に耐震固定具３を取着してその紐部材４７の掛止部４７ａを壁９５に固定した金具９７に掛け止め固定している。耐震補強具３は、プレート部材４０の下面に両面粘着シート１０を貼付して形成されている。プレート部材４０は、塩化ビニル製でその厚さは、２．０ｍｍである。両面粘着シート１０は、施工例１と同一のものを使用した。
また、床面に対して家具９０の下端部を耐震補強具４で固定した。耐震補強具４は、図６に示すように、プレート部材３０の内面及び下面に両面粘着シート１０を貼付して形成されている。プレート部材３０は、塩化ビニル製で厚さＭ＝２．０ｍｍである。また、両面粘着シート１０は、施工例１と同一のものを使用した。
耐震補強具４の水平プレートは家具の直下に挿入して床面側に貼付してもよいが、粘着力に優れた両面粘着シート１０を使用しているため、図６に示すように外付けにすることが可能である。外付けであれば、施工に際して、家具を持ち上げる必要がなく、施工が容易である。
更に、上下二段の家具９０の合わせ部９１を跨ぐように、一対の長方形の耐震補強具５で固定した。耐震補強具５は、塩化ビニル製で長方形のプレート部材７０に両面粘着シート１０を貼付して形成されている。
【符号の説明】
【００１９】
１１；基材フィルム、１５；粘着剤層、１０；両面粘着シート、１、２、３、４；耐震補強具、２１、３１、４１、５１、６１；水平プレート、２２、３２、４２、５２、６２；垂直プレート、２０、３０、４０、５０、６０、７０；プレート部材、４５；帯状プレート、４７；紐部材
【図１】
2016199607.tif 000003
【図２】
2016199607.tif 000004
【図３】
2016199607.tif 000005
【図４】
2016199607.tif 000006
【図５】
2016199607.tif 000007
【図６】
2016199607.tif 000008
【図７】
2016199607.tif 000009